(57)【特許請求の範囲】
【請求項１】
搬送されてくる用紙を集積して綴じる用紙綴じ機構と、前記用紙綴じ機構から搬送された用紙束を折り畳む用紙折機構と、前記用紙折機構から搬送された用紙束の所定の位置を断裁する断裁機構とを１つの箱内に収納してなる製本装置において、前記断裁機構を構成する断裁刃および前記断裁刃を駆動する駆動機構を、搬送される用紙束を挿通する貫通長孔が形成され、下部にスライド突起を設けた支持板に取着するとともに、前記箱内に、断裁する用紙束の搬送路を横切り前記箱の開口へ伸びるスライドガイドを設け、前記スライド突起を前記スライドガイドに係合し、断裁刃および断裁刃を駆動する駆動機構を取着した前記支持板を、前記スライドガイドに沿って移動することにより前記箱の開口から挿脱してなることを特徴とする製本装置。
【発明の詳細な説明】
【０００１】
【発明の属する技術分野】
本発明は、用紙断裁機構に関するものである。
【０００２】
【従来の技術】
製本物の一つとして、冊子の中央部を針金で綴じ、綴じた箇所を２つ折りしたものがある。このような製本物を作成する場合、例えば頁毎に印刷された紙葉（以下、この紙を含めて用紙という。）を一冊分揃えて集積する用紙集積機、一冊分集積した用紙束を針金で綴じる用紙綴じ機、綴じ後の用紙束を折り曲げる用紙折機、折り曲げた用紙束の端縁（小口部や天地部）を切り揃える断裁機、断裁した用紙束を受け取り貯溜する冊子受機を用意し、これらの各機械を順次通過させて製本するようにしている。
【０００３】
この場合、これらの各機械を印刷機の排出口から近接して一列に配列設置し、印刷機の排出された用紙を各機械を順次通過させて製本するようにすると、用紙や冊子の搬送が便利となるが、各機械を一列に配列設置するには広いスペースを必要とし、スペースが狭い場合には各機械を別置きにしなければならず、その間の用紙や冊子の搬送に手間がかかり面倒であるという問題がある。
【０００４】
この問題を解消するためにできる限り各機械の小型化を図り、各機械を一つの箱内に無駄なスペースを低減して設置した製本装置が開発されている。図５はこのように開発された製本装置（公知でない）の概略の構成を示すもので、この図において、１は印刷機、２は製本装置である。製本装置２は最上段位置に用紙綴じ機構３が配置され、その下段にこの製本装置では表紙や差し込み用紙を供給する２段の給紙機構４および５が配置されている。下段の給紙機構５の下部に断裁機構８と断裁した用紙束を受け取り貯溜する冊子受機構６が配置され、端部に縦方向に伸びる用紙折機構７が配置されている。また、用紙搬入位置に補助用紙などを供給する給紙機構１１が配置されている。
【０００５】
用紙綴じ機構３は、用紙を綴じ針で綴じるステッチャー３ａと搬入されてくる用紙を停止して位置決めするストッパ３ｂを備え、ステッチャー３ａは平綴じ（用紙の一端縁を綴じる。）、コーナー綴じ（用紙の一隅を綴じる。）および中綴じ（用紙の中央を綴じる。）に応じ、その位置を変更する移動可能（図は中綴じ位置にある場合を示している。）とされ、ストッパ３ｂは綴じる用紙のサイズなどに応じて、用紙の搬送方向前後に移動可能、かつ綴じ後の用紙束を搬出する際は搬送路から退避可能に構成されている。
【０００６】
すなわち、用紙綴じを行なうとき、用紙のサイズに応じた位置にストッパ３ｂを搬送路上に突出させ、ステッチャー３ａを綴じ位置にセットしておき、ストッパ３ｂに印刷機１から送出され、搬入ローラ１０ａおよび送りローラ１０ｂを介して搬送されてくる用紙９および適宜給紙機構４、５、１１から送りローラ１０ｂを介して搬送されてくる用紙を当接して位置決めし、１冊分の用紙を集積するとステッチャー３ａを駆動して１冊分の用紙束を綴じる。
【０００７】
綴じ後、ストッパ３ｂは搬送路から退避し、綴じた用紙束、つまり冊子９ａを用紙折機構７へ搬送方向を縦方向に変更して搬出する。なお、折り処理しない場合、例えば綴じ処理しない場合や平綴じ、コーナー綴じを別の箇所で行なう場合には方向変更することなくそのまま次ぎの工程へ搬出するように構成されている。
【０００８】
用紙折機構７は、左右に移動可能の折刃７ａと一対の加圧搬送ローラ７ｂ、折り曲げ位置に応じて上下に移動する移動可能のストッパ７ｃおよび冊子９ａを案内保持する縦方向に配置された一対のガイド板７ｄを備え、この一対のガイド板間に案内されて搬入され、ストッパ７ｃに当接して位置決めされた冊子９ａの折り曲げ位置に折刃７ａを当てて一対の加圧搬送ローラ７ｂ間に圧入して冊子９ａを折り曲げる。折り曲げ後の冊子９ａは断裁機構８へ搬出する。
【０００９】
断裁機構８は、折り曲げ後の冊子９ａが搬送される搬送経路に、該搬送経路をまたいで伸び冊子９ａの下面に当てがう断裁台８ｂと、断裁台８ｂの端縁角部に沿って伸び冊子９ａの上面上部に配置され、上下に移動する移動可能の断裁刃８ａと、図示しない断裁刃８ａを駆動する駆動機構を備え、折り曲げ後の冊子９ａを断裁刃８ａと断裁台８ｂとの間に適宜位置決めし、断裁刃８ａを下降駆動し、この製本装置では冊子９ａの小口を切り揃える。切り揃えた冊子９ａは冊子受機構６へ搬出する。冊子受機構６は搬入ローラ６ａおよび冊子９ａを載置する載置台６ｂを備え、搬入した冊子９ａをこの載置台６ｂ上に縦置きまたは横置きして貯溜する。なお、図は縦置きした場合を示している。
【００１０】
以上のように構成された製本装置では、印刷機などから搬入した用紙を綴じ位置で一冊分集積するので、そのための別途の用紙集積機を省略することができる。また、綴じ後の冊子の搬送方向を用紙折位置で折り機能を利用して用紙搬入口方向へ反転して断裁および貯溜するのでスペースが効率的に利用でき、製本（綴じ折り）に要する機械の設置スペースを大幅に低減することができる。
【００１１】
【発明が解決しようとする課題】
ところで、断裁機構８は、それを構成する断裁刃８ａおよび断裁台８ｂ並びに断裁刃８ａを駆動する駆動機構のそれぞれが製本装置を構成する箱内に固定設置したフレームにそれぞれ固定して設置されている。しかし、このようにフレームに固定すると特に上記のように用紙綴じ機構３、用紙折機構７、用紙断裁機構８などの多工程を実行する機構を一つの箱内にコンパクトに設置した製本装置では、各機構を構成する多くの部品が密に配置されており、そのために断裁機構８の点検や断裁刃８ａの交換などのメンテナンスが行ないにくいという問題がある。
【００１２】
本発明は、このような問題に鑑みなされたもので、点検やメンテナンスを簡単に行なうことのできる用紙断裁機構を提供することを目的とする。
【００１３】
【課題を解決するための手段】
本発明は、搬送されてくる用紙を集積して綴じる用紙綴じ機構と、前記用紙綴じ機構から搬送された用紙束を折り畳む用紙折機構と、前記用紙折機構から搬送された用紙束の所定の位置を断裁する断裁機構とを１つの箱内に収納してなる製本装置において、前記断裁機構を構成する断裁刃および前記断裁刃を駆動する駆動機構を、搬送される用紙束を挿通する貫通長孔が形成され、下部にスライド突起を設けた支持板に取着するとともに、前記箱内に、断裁する用紙束の搬送路を横切り前記箱の開口へ伸びるスライドガイドを設け、前記スライド突起を前記スライドガイドに係合し、断裁刃および断裁刃を駆動する駆動機構を取着した前記支持板を、前記スライドガイドに沿って移動することにより前記箱の開口から挿脱してなることを特徴とする。
【００１４】
本発明では、断裁機構を設置するフレームにスライドガイドを設け、断裁刃および該断裁刃を駆動する断裁刃駆動機構を装着した支持板をこのスライドガイドに嵌めて摺動移動し、用紙を断裁する位置に設定し、また、その位置に設定した前記支持板をスライドガイドを摺動移動して装置外部に引き出すことができるので、断裁機構の点検やメンテナンスを装置の外部で容易に行なうことが可能になる。
【００１５】
【発明の実施の形態】
以下、本発明の実施の形態について図１ないし図４を参照して説明する。図１は実施の形態に係る用紙断裁機構の構成を示す斜視図、図２は図１に示す用紙断裁機構の断面図、図３および図４は用紙断裁機構の設置動作を示す斜視図で、図３は設置開始を、図４は設置直後を示す斜視図である。なお、図５に示す従来と同一部分には同一の符号を付している。
【００１６】
図１および図２において、８は断裁機構、８ａは断裁刃、８ｂは断裁台、８ｃは断裁刃ホルダー、１２はスライドガイド、１３は支持板、１４はモータ、１５は駆動プーリ、１６は従動プーリ、１７は無端ベルト、１８ａおよび１８ｂは連結ロッドである。スライドガイド１２は断裁機構８を収納する図示しない箱（図５に示す製本装置では、その箱）内に適宜設置されたフレームからなり、用紙の搬送方向に対してほぼ直角方向に搬送経路をまたいで伸びる凹溝１２ａが形成されている。なお、スライドガイド１２は箱内に適宜設置されたフレームに固定したものでも良い。
【００１７】
支持板１３は、概略長方形状の金属性平板からなり、上部位置に用紙あるいは用紙束を挿通する貫通長孔１３ａが形成され、下端部に貫通長孔１３ａとほぼ平行して伸びるスライドガイド１２の凹溝１２ａと摺動自在に嵌合する突起１３ｂが形成され、貫通長孔１３ａの下部縁に沿い、その下部縁面と面一にした断裁台８ｂが固定されている。断裁台８ｂは貫通長孔１３ａの下部縁に沿う端縁と対向する反対側の端縁８ｄが鋭角に形成され、その端縁８ｄに沿って刃先を合わせた断裁刃８ａが配置されている。貫通長孔１３ａの上部縁とほぼ対向する上部位置に断裁刃８ａが配置されている。
【００１８】
断裁刃８ａは断裁刃ホルダー８ｃに固定され、断裁刃ホルダー８ｃは貫通長孔１３ａの長手方向の寸法よりも長く、断裁刃ホルダー８ｃの貫通長孔１３ａから外れた両側の端部位置にそれぞれ連結ロッド１８ａおよび１８ｂの一端が取着されている。連結ロッド１８ａの他端は駆動プーリ１５の偏心位置に立てられた偏心ピン１５ａに回転自在に取着され、連結ロッド１８ｂの他端は従駆動プーリ１６の偏心位置に立てられた偏心ピン１６ａに回転自在に取着されている。
【００１９】
駆動プーリ１５は支持板１３の長手方向の一方の下端部に配置され、駆動プーリ１５と対向する支持板１３の裏面に固定されたモータ１４の支持板１３を突き抜けて突出する回転軸１４ａに固定されている。従動プーリ１６は支持板１３の長手方向の他方の下端部に配置され支持板１３に回転自在に取着されている。そして、駆動プーリ１５と従動プーリ１６に無端ベルト１７が掛け渡されており、駆動プーリ１５の回転と同期して従動プーリ１６が回転する。
【００２０】
すなわち、この実施の形態における用紙断裁機構８は、一つの支持板１３に、断裁刃８ａおよび断裁台８ｂならびに断裁刃８ａを駆動するモータ１４、プーリ１５および１６、連結ロッド１８ａおよび１８ｂからなる断裁刃駆動機構の全てが取着されている。したがって、これを取着した支持板１３を用紙の搬送経路の用紙断裁位置に適宜フレームに固定するだけで断裁機構８が設置でき、特にスペースの狭い箇所などにおける設置を容易に行なうことができ、また取外しを容易に行なうことができる。
【００２１】
この設置に際し、予め用紙断裁機構８を設置する箱内の用紙断裁位置に用紙の搬送経路の下部でその搬送経路を横切って伸びるスライドガイド１２を設置しておく。そして、図３示すように断裁機構を取り付けた支持板１３を箱２の開口２ａから挿入し、支持板１３の突起１３ｂをスライドガイド１２の凹溝１２ａに嵌め込み、支持板１３を押し込み、支持板１３すなわち用紙断裁機構８を図４に示すように、用紙断裁位置に設置する。また、用紙断裁位置に設置した用紙断裁機構８を取り出すときには、支持板１３をスライドガイド１２に沿って引き出すことにより行なう。
【００２２】
用紙の搬送経路の用紙断裁位置に設置された用紙断裁機構８は、支持板１３に形成された貫通長孔１３ａに搬送されてくる用紙束９ａ（図２参照）を挿通し、用紙束９ａの断裁箇所を断裁台８ｂの端縁８ｄに合わせて位置決めし、モータ１４を駆動してプーリ１５および１６を回転し、この回転を偏心ピン１５ａおよび１６ａ並びに連結ロッド１８ａおよび１８ｂにより直線運動に変換し、上部に待期している断裁刃８ａを下降駆動（正確には斜め下方に駆動）して用紙束９ａの断裁箇所を断裁する。
【００２３】
なお、以上の実施の形態では、断裁台８ｂを支持板１３に固定しているが、断裁台８ｂを別置するようにしても良い。またスライドガイド１２に凹溝１２ａを形成し、支持板１３に突起１３ｂを形成して凹溝１２ａに突起１３ｂに嵌め込み、支持板１３を摺動自在としているが、支持板１３側に凹溝あるいは凹溝を形成した部材を固定形成し、スライドガイドはこの凹溝に嵌合するものであっても良く、スライド機構の構成は任意である。さらに支持板１３の用紙断裁位置での固定はたとえば操作可能の留め金などで行なうようにしても良い。
【００２４】
【発明の効果】
以上、詳述したように発明によれば、断裁刃および該断裁刃を駆動する断裁刃駆動機構を一つの支持板に装着しているので、断裁機構を装置外部で組立てあるいは分解することができ、そのための作業を容易に行なうことができる。また、断裁刃および該断裁刃を駆動する断裁刃駆動機構を装着した支持板を摺動させて用紙を断裁する位置に設置し、取外しができるので、断裁機構の点検やメンテナンスを簡単に行なうことができる。
【図面の簡単な説明】
【図１】本発明の実施の形態に係る用紙断裁機構の斜視図である。
【図２】図１に示す用紙断裁機構の断面図である。
【図３】本発明の実施の形態に係る用紙断裁機構の設置動作を説明するための斜視図である。
【図４】本発明の実施の形態に係る用紙断裁機構の設置動作を説明するための斜視図である。
【図５】製本装置（綴じ折り製本）の全体構成説明用の概略構成図である。
【符号の説明】
２    箱
２ａ  開口
８    断裁機構
８ａ  断裁刃
８ｂ  断裁台
８ｃ  断裁刃ホルダー
１２  スライドガイド
１２ａ  凹溝
１３  支持板
１３ａ  貫通長孔
１３ｂ  突起
１４  モータ
１５  駆動プーリ
１６  従動プーリ
１７  無端ベルト
１８ａ、１８ｂ  連結ロッド
【図１】
0004371500.tif 000002
【図２】
0004371500.tif 000003
【図３】
0004371500.tif 000004
【図４】
0004371500.tif 000005
【図５】
0004371500.tif 000006